(57)【要約】      （修正有）【課題】救命胴衣本来の機能として望まれる浮力を十分に有し、なおかつ、耐寒性、保温性をも具備したシンプルな構造で使い勝手のよい複合浮力胴衣を提供する。【解決手段】独立気泡の弾性発泡体を浮力材として左右前身頃及び後身頃を構成する表裏の生地間に装着した救命具１と、独立気泡の弾性発泡体を芯材として左右前身頃３，４及び後身頃５を構成する表裏の生地間に装着した保温用インナー２とからなる複合浮力胴衣とする。保温用インナーの裏生地をチタン合金箔と合成繊維製の伸縮性布帛の積層体とすると保温効果が高い。また、芯材となる独立気泡の弾性発泡体中にジルコニウム化合物及び／又はゲルマニウム化合物を含有させると保温効果が高い。【選択図】図１
0003169522.tif 000002
【実用新案登録請求の範囲】
【請求項１】
独立気泡の弾性発泡体を浮力材として左右前身頃及び後身頃を構成する表裏の生地間に装着した救命具と、立気泡の弾性発泡体を芯材として左右前身頃及び後身頃を構成する表裏の生地間に装着した保温用インナーとからなる複合浮力胴衣。
【請求項２】
保温用インナーが折り畳まれて救命具の内面に止着されている請求項1記載の複合浮力胴衣。
【請求項３】
救命具を構成する表生地が合成繊維製の伸縮性布帛と独立気泡の弾性発泡体シートとの積層体で構成される請求項1または２記載の複合浮力胴衣。
【請求項４】
救命具を構成する裏生地が合成繊維製の伸縮性布帛又は合成繊維製の伸縮性布帛と
独立気泡の弾性発泡体シートとの積層体で構成される請求項1または２記載の複合浮力胴衣。
【請求項５】
保温用インナーの表生地が合成繊維製の伸縮性布帛からなり、保温用インナーの裏生地が芯材側に位置するチタン合金箔と合成繊維製の伸縮性布帛の積層体からなる請求項1から４のいずれかに記載の複合浮力胴衣。
【請求項６】
保温用インナーの表裏の生地が合成繊維製の伸縮性布帛からなり、芯材となる独立気泡の弾性発泡体がジルコニウム化合物及び／又はゲルマニウム化合物を含有する請求項1から5のいずれかに記載の複合浮力胴衣。
【考案の詳細な説明】
【技術分野】
【０００１】
この考案は水難事故における人命救助に役立つ複合浮力胴衣に関するもので、特に高い保温機能を有する複合浮力胴衣関するものである。
【背景技術】
【０００２】
救命胴衣は、備えられた浮力材の浮力を利用して水難事故における人命救助を主眼とするものであるが、水中においては体温が奪われるため、保温あるいは加温対策も無視できないところである。
そのため、従来からも耐寒用衣料、耐寒耐水服、加温あるいは体温調整機能を備えた救命胴衣が提供されている。
例えば特許文献１では、中空粒子または／および気泡を内包する樹脂組成物からなる断熱性層と、布もしくは不織布とが積層された断熱性シートが、表用布の裏側に張ってある断熱性衣料を提供している。また、特許文献２では、高吸湿性微粒子が付着されてなる構造体であり、吸湿及び／又は吸水時の最大温度上昇が３℃以上である溺死防止用緊急人体加温衣料を提供している。また、特許文献３では、外部温度や体温に応じて装着者の体温を微調整し、救助されるまでの間、身体の体温を適正体温に維持できる体温調整具を備えた救命胴衣を提供している。さらにまた、特許文献４では、冷水海域における海上などの事故および災害において着水した際、積極発熱により体温低下を防止することができるとともに、着用快適性を付与した耐寒耐水服を提供するため、酸素との反応により発熱する金属粉体が封入された包装体と、酸素供給装置とを具備する耐寒耐水服が提供されている。      
【先行技術文献】
【特許文献】
【０００３】
【特許文献１】特開2001-303341号公報
【特許文献２】特開2003-155609号公報
【特許文献３】特開2005-199920号公報
【特許文献４】特開2008-231582号公報
【考案の概要】
【考案が解決しようとする課題】
【０００４】
上記従来例によれば、耐寒機能を備える衣料、耐寒耐水機能を備える衣料、体温調節機能を備えた救命胴衣などが提供されているが、浮力についての配慮がなされてなかったり、別途の発熱手段を講じることによって、体温の維持、加温を図ろうとするものであった。
すなわち、耐寒性、保温性に重点をおいたもので救命胴衣本来の機能については特に工夫がなされていなかったたり、別途の加熱手段を用いるものであり、救命胴衣本来の機能を十全に備え、なおかつシンプルな構造で保温機能を発揮し得る使い勝手のよい、複合浮力胴衣の提供が望まれていた。
そこで、この考案では、救命胴衣本来の機能として望まれる浮力を十分に有し、なおかつ、耐寒性、保温性をも具備したシンプルな構造で使い勝手のよい複合浮力胴衣を提供することを目的としている。
【課題を解決するための手段】
【０００５】
上記目的を達成するため、この考案においては、救命胴衣本来の機能を果たす救命具と耐寒性、保温性の機能を果たす保温用インナーとの組合せからなる複合浮力胴衣としている。
【０００６】
すなわち、独立気泡の弾性発泡体を浮力材として左右前身頃及び後身頃を構成する表裏の生地間に装着した救命具と、独立気泡の弾性発泡体を芯材として左右前身頃及び後身頃を構成する表裏の生地間に装着した保温用インナーとからなる複合浮力胴衣である。
独立気泡の弾性発泡体を浮力材とした場合、それほどの嵩張りもなく、所望とする浮力が得られる。また、断熱効果もあるため、それ自体で耐寒性、保温性も有している。また、独立気泡の弾性発泡体を芯材として表裏の生地間に装着した保温用インナーは、耐寒性、保温性を有しているので、保温用インナーを着用して、救命具を着用すれば、耐寒性・保温性を十全に果たし得るとともに、救命具の浮力により、万一水難事故にあった場合においても呼吸の確保が可能であり、また、救命具と保温用インナーの相乗効果によって、体温の低下防止を果たし得るものである。
【０００７】
保温用インナーは、別途用意しておき、必要に応じて救命具と組み合わせて着用することも考えられるが、常に救命具と保温用インナーとを組み合わせておけば便利である。そのためには、保温用インナーが折り畳まれて救命具の内面に止着されていることが望ましく、たとえば、面ファスナーを利用して止着しておく手段などが考えられる。
【０００８】
救命具を構成する表生地は合成繊維製の伸縮性布帛と独立気泡の弾性発泡体シートとの積層体で構成すると耐久性と断熱、保温性を確保することができる。合成繊維製の伸縮性布帛としては、ナイロンまたはポリエステルなどの合成繊維製のジャージ布などが最適であるが、同等の機能を有する伸縮性布帛であればよい。また、伸縮性布帛と弾性発泡体シートの積層体だけでなく、弾性発泡体シートの内面側にも伸縮性布帛を積層しておけば、耐久性、断熱、保温性が向上する。
【０００９】
救命具を構成する裏生地は合成繊維製の伸縮性布帛又は合成繊維製の伸縮性布帛と独立気泡の弾性発泡体シートとの積層体で構成しておけば、やはり耐久性、断熱、保温性の点で好ましい。
【００１０】
浮力材を構成する独立気泡の弾性発泡体及び前記弾性発泡体シートは、天然ゴム、合成ゴム又は合成樹脂を発泡させたもので、合成ゴムとしては、クロロプレンゴム（ＣＲ）、スチレンブタジエンゴム（ＳＢＲ）、アクリロニトリルブタジエンゴム（ＮＢＲ）、アクリルニトリルゴム（ＮＲＰ）、ブタジエンゴム（ＢＲ）、イソプレンゴム（ＩＲ）などのゴム系高分子、またはこれらを複数種混合したものがあげられるが、これらに限定されるものではない。
また、合成樹脂としては、塩化ビニル樹脂（ＰＶＣ）、ポリプロピレン（ＰＰ）、
ポリエチレン（ＰＥ）等が挙げられるが、これらに限定されるものではない。
発泡剤としては、公知の発泡剤を使用することができるが、ＯＢＳＨ系発泡剤などを用いることができる。
【００１１】
救命具は表生地と裏生地を縫製して、両者間の中空部に浮力材を装着したものであり、浮力材の厚みは３〜３０ｍｍの範囲内において選定すればよく、左右前身頃及び後身頃を構成する表裏の生地間に装着すれば、５０〜１６０Ｎの浮力が得られる。
【００１２】
保温用インナーは、表生地が合成繊維製の伸縮性布帛からなり、裏生地が芯材側に位置するチタン合金箔と合成繊維製の伸縮性布帛の積層体からなり、芯材となる独立気泡の弾性発泡体の表裏に接着した素材を用いてベスト状又はジャケット状に仕上げたものである。
また、他の例としては、表裏の生地が合成繊維製の伸縮性布帛からなり、芯材となる独立気泡の弾性発泡体の表裏に接着した素材を用いてベスト状又はジャケット状に仕上げたもので、弾性発泡体中にジルコニウム化合物及び／又はゲルマニウム化合物を含有させている。このような弾性発泡体は出願人によって商品名バイオラバーとして提供されている。
【００１３】
裏生地にチタン合金箔を用いた保温用インナーにおいては、体温を反射させることにより熱損失を防ぎ、また、冷たい外気温や水温を遮断して放熱を防ぐことにより、断熱、保温機能を持たせたものである。チタン合金箔は７０μ程度の薄いフィルム状であっても効果的な断熱、保温効果を発揮する。
【００１４】
芯材となる独立気泡の弾性発泡体にジルコニウム化合物及び／又はゲルマニウム化合物を含有させた保温用インナーにおいては、ジルコニウム化合物及びゲルマニウム化合物が、発泡体内に太陽等からの赤外線を集め、赤外線が発泡体内部の多数の気泡の壁にぶつかり、乱反射と集約を繰り返すことで、波長４〜２５ミクロンの遠赤外線を発生するので、これによって保温効果が得られるものである。
【００１５】
ジルコニウム化合物としては、ジルコニウム錯化合物を用いるのが好ましい。ジルコニ
ウム錯化合物としては、ジルコニウムとフッ素等との錯体が挙げられ、具体的には、ヘキ
サフルオロジルコニウム酸カリ（Ｋ２ＺｒＦ６）又はオクタフルオロジルコニウム酸カリ
（Ｋ２ＺｒＦ８）が挙げられるが、これらに限定されるものではない。ジルコニウム化合物の含有量は、ゴム又は樹脂成分１００重量部に対して、１０〜８０重量部含有させるのが好ましい。
【００１６】
ゲルマニウム化合物としては、ゲルマニウム鉱物またはゲルマニウム錯化合物を用いるのが好ましい。ゲルマニウム鉱物としては、硫ゲルマニウム銀鉱（Ａｇ８ＧｅＳ９、Ａｒｇｙｒｏｄｉｔｅ）や、レニエル鉱（（Ｃｕ，Ｚｎ）１１Ｆｅ４（Ｇｅ，Ａｓ）２Ｓ１６、Ｒｅｎｉｅｒｉｔｅ）等が挙げられるが、これに限定されるものではない。また、ゲルマニウム錯化合物としては、ゲルマニウムと、ジカルボン酸又はアミン等との錯体が挙げられるが、これに限定されるものではない。ゲルマニウム化合物の含有量は、ゴム又は樹脂成分１００重量部に対して、５〜１０重量部含有させるのが好ましい。
【００１７】
芯材となる独立気泡の弾性発泡体は、救命具を構成する独立気泡の弾性発泡体及び弾性発泡体シートと同一の素材を用いればよく、０．５〜３．０ｍｍ程度のシート状のものを用いる。
【考案の効果】
【００１８】
この考案に係る複合浮力胴衣は、保温性をも具備した救命具と、耐寒性、保温性の機能を果たす保温用インナーとを組合せたものであり、比較的簡単の構成でありながら、それぞれの機能を十全に発揮して使い勝手のよい複合浮力胴衣を提供し得たのである。
【図面の簡単な説明】
【００１９】
【図１】本考案に係る複合浮力胴衣の一例を示す正面図と背面図。
【図２】同複合浮力胴衣の救命具と保温用インナーを分離した状態で示す正面図と背面図。
【図３】同複合浮力胴衣の救命具の断面図。
【図４】同複合浮力胴衣の保温用インナーの断面図。
【図５】同複合浮力胴衣の保温用インナーの他例を示す断面図。
【図６】同複合浮力胴衣の救命具と保温用インナーを組み合わせた状態の断面図。
【図７】同複合浮力胴衣の救命具と保温用インナーを組み合わせた状態の他例を示す断面図。
【図８】他の複合浮力胴衣における救命具の断面図。
【図９】本考案に係る複合浮力胴衣の他例を示す正面図と背面図。
【図１０】同複合浮力胴衣の保温用インナーを示す正面図と背面図。
【図１１】本考案に係る複合浮力胴衣のさらに他の例を示す正面図。
【図１２】同複合浮力胴衣において保温用インナーを折り畳んで救命具の内面に止着する状態を示す正面図。
【図１３】同複合浮力胴衣における保温用インナーの止着手段の一例を示す参考図。
【図１４】本考案に係る複合浮力胴衣のさらにまた他の例を示す正面図で、保温用インナーの止着状態と共に示す。
【考案を実施するための形態】
【００２０】
本考案に係る複合浮力胴衣は救命具と保温用インナーの組合せからなるものである。図１から図７においてベストタイプの救命具１とベストタイプの保温用インナー２の組合せを示している。
救命具１は左右前身頃３、４及び後身頃５を構成する表裏の生地を縫製して、両者間の中空部に浮力材６を装着したもので、本考案では浮力材としてクロロプレンゴムを基材とする独立気泡の弾性発泡体を使用しているが、その他の合成ゴム、合成樹脂も使用可能である。浮力材の厚みは３〜３０ｍｍの範囲で選定した場合、５０〜１６０Ｎの浮力が得られる。左右前身頃３、４はベルト７と締結具８により人体に確実に装着可能となっている。
【００２１】
この例における救命具１は図３に示す通り、表生地９、裏生地１０が合成繊維製の伸縮性布帛１１と独立気泡の弾性発泡体シート１２との積層体で構成されている。合成繊維製の伸縮性布帛としては、ナイロン又はポリエステルなどの合成繊維製のジャージ布が最適であるがこれに限定されるものではない。独立気泡の弾性発泡体シート１２は浮力材６と同一素材を用いることができる。
【００２２】
保温用インナー２は図４に示す通り、芯材１３として独立気泡の弾性発泡体を用い、表生地１４は合成繊維製の伸縮性布帛とし、裏生地１５は芯材１３側に位置するチタン合金箔１６と合成繊維製の伸縮性布帛１７の積層体で構成されている。芯材１３の表裏に表裏の生地１４、１５を接着した素材を用いて図２に示すようなベスト状に仕上げたものであり、左右前身頃１８、１９をファスナー２０で開閉可能としている。
【００２３】
この例では裏生地１５において芯材１３側にチタン合金箔１６を設けているので、着用時体温を反射させることにより熱損失を防ぎ、また、冷たい外気温や水温を遮断して放熱を防ぐことにより、断熱、保温機能を発揮することができるため、体温の低下を有効に防止し得るものである。チタン合金箔１６の厚みとしては７０μ程度の薄いフィルム状であっても効果的な断熱、保温効果を発揮する。
【００２４】
保温用インナー２の左右前身頃１８、１９及び後身頃２１には面ファスナー２２が止着されており、救命具１にも対応箇所において面ファスナー２３が止着され、重ね着をした場合に相互のずれを防止できる構成としている。
【００２５】
図６は救命具１と保温用インナー２を重ね着した場合における断面図である。図１及び図２に示す通り、救命具１には必要に応じて使用可能なホイッスル２４が設けられ、緊急時において救助を求める手助けとなっている。図示していないが、本人確認が可能なＱＲコードを救命具１あるいは保温用インナー２の表面の適宜の箇所に付けたり、ＩＣチップやＧＰＳの機能を具備させておけば、救助時に遭難者を発見しやすくなる。
【００２６】
図５は保温用インナー２の他例を示すもので、表裏の生地１４、１５が合成繊維製の伸縮性布帛からなり、芯材１３となる独立気泡の弾性発泡体の表裏に接着した素材を用いてベスト状に仕上げたもので、弾性発泡体中にジルコニウム化合物及び／又はゲルマニウム化合物を含有させている。全体構成としては図２に示す保温用インナー２と同様とする。
図７は救命具１と保温用インナー２を重ね着した場合における断面図であり、図１、図２と同様に面ファスナー２２によって相互のずれを防止している。
【００２７】
図８から図１０は本考案に係る複合浮力胴衣の他例を示すもので、ベストタイプの救命具１とフード付ジャケットタイプの保温用インナー２の組合せを示している。救命具１を構成する表生地９、裏生地１０は図３と同様に合成繊維製の伸縮性布帛１１と独立気泡の弾性発泡体シート１２との積層体で構成してもよく、また、図８に示す通り、表生地９のみ独立気泡の弾性発泡体シート１２の両面に合成繊維製の伸縮性布帛１１を積層した構造としてもよい。保温用インナー２は救命具１よりも裾が長く、フード付である点以外は図２、図６、図７で示す例と同様である。
【００２８】
図１１から図１４は常に救命具１と保温用インナーとを組み合わせておくようにした例を示すもので、保温用インナー２を折り畳んで救命具１の内面に止着しておくようにしている。
図１１から図１３は図１及び図２に示すタイプの複合浮力胴衣で、救命具１の左右前身頃３、４はファスナー２５で開閉可能としている。図１２に示す通り保温用インナー２を折り畳み、救命具１の内面に取り付けた止着帯２６を面ファスナー２２で止着して、救命具1の内面に取り付けるようにしたものである。なお、止着帯２６に面ファスナー２２を設けることなく、止着帯２６を結束紐とし、保温用インナー２を結束して取り付けるようにすることもできる。図１３に示す通り、止着帯２６の中央部分と折り畳んだ保温用インナー２の後身頃２１に相対応して面ファスナー２２を取り付けておけば、止着状態が安定する。
図１４は図９及び図１０に示すタイプの複合浮力胴衣で、救命具１の左右前身頃３、４はファスナー２５で開閉可能としている。図示の通り保温用インナー２を折り畳んで止着帯２６と面ファスナー２２で救命具１の内面に止着するようにしたものである。この例でも、止着帯２６の中央部分と折り畳んだ保温用インナー２の後身頃２１に相対応して面ファスナー２２を取り付けておけば、止着状態が安定する。
【００２９】
以上の通り、この考案の複合浮力胴衣は浮力を与える救命具と耐寒性、保温性の機能を果たす保温用インナーを組み合わせた複合浮力胴衣としており、比較的簡単な構成でありながら、それぞれの機能を十全に発揮して使い勝手のよい複合浮力胴衣を提供しえたのであり、特に従来の救命胴衣に比較して保温性が向上しており、外気温や水温が低い場合における水難事故において有効に機能するものである。
【符号の説明】
【００３０】
１  救命具
２  保温用インナー
３  左前身頃
４  右前身頃
５  後身頃
６  浮力材
９  表生地
１０  裏生地
１１  合成繊維製の伸縮性布帛
１２  独立気泡の弾性発泡体シート
１３  芯材
１４  表生地
１５  裏生地
１６  チタン合金箔
１７  合成繊維製の伸縮性布帛
１８  左前身頃
１９  右前身頃
【図１】
0003169522.tif 000003
【図２】
0003169522.tif 000004
【図３】
0003169522.tif 000005
【図４】
0003169522.tif 000006
【図５】
0003169522.tif 000007
【図６】
0003169522.tif 000008
【図７】
0003169522.tif 000009
【図８】
0003169522.tif 000010
【図９】
0003169522.tif 000011
【図１０】
0003169522.tif 000012
【図１１】
0003169522.tif 000013
【図１２】
0003169522.tif 000014
【図１３】
0003169522.tif 000015
【図１４】
0003169522.tif 000016